(57)【要約】      （修正有）【課題】自分の尿の採取が容易で衣服を濡らすことのない、かつ、自分の採取した尿を他の被検査者に見られることのなく、嵩張ることのない採尿カップを提供し、あわせて製作が容易で経済的な採尿カップスタンドを提供する。【解決手段】鋭角を頂点とする第１の二等辺三角形と前記第１の二等辺三角形の底辺を底辺とする第２の二等辺三角で形成される方形のシートを、前記第１の二等辺三角形を下部に位置させて、下端に位置する前記第１の二等辺三角形の前記鋭角を中心に前記第１の二等辺三角形を手前方向に湾曲させ前記鋭角を挟む２つの斜辺の内面となる辺縁同士を対向させて貼着することによって形成される略斜円錐形状の倒立斜円錐形状採尿カップとし、この倒立斜円錐形状採尿カップを保持するスタンドを１枚のシートから組み立てられ、上下２箇所の位置で倒立斜円錐形状採尿カップを保持する。【選択図】  図１
2006145308.tif 000002
【特許請求の範囲】
【請求項１】
頂点を下方に向けた略円錐形の中空のカップであって、
該円錐形カップの上部を斜めにカットして開口部の形状が略楕円形に形成されたことを特徴とする倒立斜円錐形状採尿カップ。
【請求項２】
前記倒立斜円錐形状採尿カップは、鋭角を頂角とする第１の二等辺三角形と前記第１の二等辺三角形の底辺を底辺とする第２の二等辺三角形とからなる紙製または合成樹脂製の方形のシートの前記第１の二等辺三角形を下部に位置させて、
下端に位置する前記頂角を中心に前記第１の二等辺三角形を手前方向に湾曲させ、
前記頂角を挟む２つの斜辺の内面となる辺縁同士を対向させて貼着することにより形成されることを特徴とする請求項１に記載の倒立斜円錐形状採尿カップ。
【請求項３】
前記第２の二等辺三角形の略上半分を前記斜円錐形カップの内部方向に谷折りすることにより前記斜円錐形カップの蓋体が形成され、
前記第２の二等辺三角形の頂角近傍を前記斜円錐形カップの外部方向に山折りすることにより前記蓋体のつまみ部が形成されることを特徴とする請求項１または請求項２に記載の倒立斜円錐形状採尿カップ。
【請求項４】
長辺の長さ（ｗ）および短辺の長さ（ｄ）の矩形の底板の一方の長辺には長辺の長さ（ｗ）および短辺の長さ（ｈ）の矩形の前板が長さ（ｗ）の辺を共有して連設され、
前記底板の他方の長辺には長辺の長さ（ｗ）および短辺の長さ（２ｈ）の矩形の背板が長さ（ｗ）の辺を共有して連設され、
前記底板の一方の短辺には長さ（ｄ）および幅（ｈ）の矩形の第１の右側板が長さ（ｄ）の辺を共有して連設され、
前記底板の他方の短辺には長さ（ｄ）および幅（ｈ）の矩形の第１の左側板が長さ（ｄ）の辺を共有して連設され、
前記背板の前記底板が連設されている長辺に対向するもう一方の長辺には長辺の長さ（ｗ）および短辺の長さ（ｄ）の矩形の天板が長さ（ｗ）の辺を共有して連設され、
前記天板の一方の短辺には長さ（ｄ）および幅（ｈ）の矩形の第２の右側板が長さ（ｄ）の辺を共有して連設され、
前記天板の他方の短辺には長さ（ｄ）および幅（ｈ）の矩形の第２の左側板が長さ（ｄ）の辺を共有して連設され、
前記前板の前記底板が連設されている長辺に対向するもう一方の長辺には長辺の長さ（ｗ）および短辺の長さ（ｄ）の矩形の中板が長さ（ｗ）の辺を共有して連設され、
前記中板には１つ以上の第１の採尿カップ挿通孔が長辺方向の中心軸線上に等間隔に貫設されていて前記第１の採尿カップ挿通孔の形状は前記採尿カップの中心軸を垂直にしたときの前記頂点から距離（ｈ）をもって離間した位置における前記倒立斜円錐形状採尿カップの断面形と略同一形状であり、
前記天板には１つ以上の第２の採尿カップ挿通孔が長辺方向の中心軸線上かつ前記第１の採尿カップ挿通孔に対応する位置に貫設されていて前記第２の採尿カップ挿通孔の形状は前記採尿カップの中心軸を垂直にしたときの前記頂点から距離（２ｈ）をもって離間した位置における前記採尿カップの断面形と略同一形状である紙製または合成樹脂製のシートであって、
前記底板に連設される前記前板、前記背板、前記第１の右側板および前記第１の左側板をそれぞれ前記底板に対して直角に谷折りして相互に直交する辺縁同士を貼着し、
前記中板を前記前板に対して直角に谷折りして前記中板の先端の長辺縁を前記背板に当接させて貼着し、
前記天板を前記背板に対して直角に谷折りし前記第２の右側板および前記第２の左側板を前記天板に対して直角に谷折りして相互に直交する辺縁同士を貼着して形成されることを特徴とする請求項１ないし請求項３のいずれかに記載の倒立斜円錐形状採尿カップを保持する採尿カップスタンド。
【発明の詳細な説明】
【技術分野】
【０００１】
本発明は、病院や保健所等でおこなわれる尿検査に必要な被検査者の尿を採取する採尿カップおよびこの採尿カップを保持する採尿カップスタンドに関する。
【背景技術】
【０００２】
従来から病院や保健所等で検査のための尿を採取する場合、被検査者はトイレ等で採尿カップに自ら尿を排出して採尿している。そして、この採尿カップは多くの場合、有底の逆円錐台形状の紙コップが使用されていて、採尿に際して被検査者は、この紙コップの上部に開放された開口部から尿を狙い入れている。
【０００３】
この採尿カップに関する先行技術として図６に示す技術がある。図６に示す技術は、特許第３２１３８７０号公報に記載の技術であり、従来から採尿カップとして使用されている紙コップが有する「使用者が女性の場合、尿の採取の際に、紙コップの開口に尿を排出するのが思うようにならず、排出中の尿が手に付いたり、採取量が十分に得られなかったりするという不都合あり、病院あるいは保健所等における尿採取を、男性のみならず女性であっても容易かつ利便におこない、さらに適量の尿採取をおこなうことができる採尿カップを提供することを目的」（同公報段落番号０００３および０００５の記載）としたものである。
【０００４】
上記の課題を解決するため、特許第３２１３８７０号公報に記載の技術は、逆円錐形状の採尿カップ１０１の筒体１０２の採取孔１０３を穿設し、前記筒体１０２の上端に開口１０４を設けるとともに該上端に広面積の把持部１０５を設けたものである。そして、「この採尿カップ１０１によって尿を採取するには、使用者が尿１０６を排出しつつ、採取孔１０３に狙い入れることによって尿１０６を採取孔１０３から入れ、筒体１０２の尿が採取孔１０３を越してこの採取孔１０３から溢れ出した時点で採取を止める。このとき、使用者が指で抑える把持部１０５と尿１０６を入れる採取孔１０３とは位置が離れているため、使用者は指に尿がかかることなどを気にすることなく採取することができ、また採取孔１０３の位置によって自動的に尿の適量採取をおこなうことができる」（同公報段落番号００２９の記載）とされている。
【特許文献１】特許第３２１３８７０号公報
【発明の開示】
【発明が解決しようとする課題】
【０００５】
しかしながら、従来から使用されている紙コップでは、被検査者が女性の場合は、女性の陰部は自分でも確認し辛い場所にあるため、図７（ａ）に示すように、尿の採取の際に、紙コップ１１０の開口を適当な場所に位置させることはそれほど容易ではなく、殊に妊婦の場合は大きくなった腹部が視界を妨げるとともに、その腹部に邪魔されて、紙コップ１１０を所定の位置に持っていくことが困難な場合も生じて、排出中の尿６２が手に付いたりする不都合があった。また、被検査者が男性の場合、尿の採取の際に、図７（ｂ）に示すように、紙コップ１１０の開口に向けて尿を排出することは比較的容易であるが、排出する尿６４の勢いによっては紙コップ１１０の底に当たった尿６４がはねかえって被検査者の衣服を濡らす場合がある。なお、図７において、符号１１０は従来から使用されている紙コップの採尿カップ、符号６２は女性の被検査者の排出中の尿、符号６４は男性の被検査者の排出中の尿、符号６６は朝顔式の小便器である。
【０００６】
また、特許第３２１３８７０号公報に記載の技術にあっても、把持部１０５を被検査者が指で把持することによって、排出中の尿が手に付くという不具合は解決できると考えられるが、採取孔１０３は紙コップ１０１の開口部１０４よりも狭く、女性の被検査者は勿論のこと、男性の被検査者であっても排出中の尿を採取孔１０３に狙い入れることは至難ではないかと思われる。
【０００７】
そこで、本願発明は、男性の被検査者は勿論、女性の被検査者、さらには妊娠中の被検査者にとっても自分の尿の採取を容易にし、また、集団検査の場合であっても、自分の採取した尿を他の被検査者に見られることのない採尿カップを提供し、さらには、製作が容易で経済的な採尿カップを提供することを目的とするとともに、製作が容易で経済的な当該採尿カップ専用の採尿カップスタンドを提供することを目的とする。
【課題を解決するための手段】
【０００８】
上記課題を解決するために、本願請求項１に係る倒立斜円錐形状採尿カップは、頂点を下方に向けた略円錐形の中空のカップであって、該円錐形カップの上部を斜めにカットして開口部の形状が略楕円形に形成されたことを特徴としている。
また、本願請求項２に係る倒立斜円錐形状採尿カップは、前記請求項１に係る倒立斜円錐形状採尿カップにおいて、前記倒立斜円錐形状採尿カップは、鋭角を頂角とする第１の二等辺三角形と前記第１の二等辺三角形の底辺を底辺とする第２の二等辺三角形とからなる紙製または合成樹脂製の方形のシートの前記第１の二等辺三角形を下部に位置させて、下端に位置する前記頂角を中心に前記第１の二等辺三角形を手前方向に湾曲させ、前記頂角を挟む２つの斜辺の内面となる辺縁同士を対向させて貼着することにより形成されることを特徴としている。
そして、本願請求項３に係る採尿カップは、前記請求項１または２に係る倒立斜円錐形状採尿カップにおいて、前記第２の二等辺三角形の略上半分を前記斜円錐形カップの内部方向に谷折りすることにより前記斜円錐形カップの蓋体が形成され、前記第２の二等辺三角形の頂角近傍を前記斜円錐形カップの外部方向に山折りすることにより前記蓋体のつまみ部が形成されることを特徴としている。
さらに、本願請求項４に係る発明は、前記請求項１ないし請求項３のいずれかに係る倒立斜円錐形状採尿カップを保持する採尿カップスタンドであって、長辺の長さ（ｗ）および短辺の長さ（ｄ）の矩形の底板の一方の長辺には長辺の長さ（ｗ）および短辺の長さ（ｈ）の矩形の前板が長さ（ｗ）の辺を共有して連設され、前記底板の他方の長辺には長辺の長さ（ｗ）および短辺の長さ（２ｈ）の矩形の背板が長さ（ｗ）の辺を共有して連設され、前記底板の一方の短辺には長さ（ｄ）および幅（ｈ）の矩形の第１の右側板が長さ（ｄ）の辺を共有して連設され、前記底板の他方の短辺には長さ（ｄ）および幅（ｈ）の矩形の第１の左側板が長さ（ｄ）の辺を共有して連設され、前記背板の前記底板が連設されている長辺に対向するもう一方の長辺には長辺の長さ（ｗ）および短辺の長さ（ｄ）の矩形の天板が長さ（ｗ）の辺を共有して連設され、前記天板の一方の短辺には長さ（ｄ）および幅（ｈ）の矩形の第２の右側板が長さ（ｄ）の辺を共有して連設され、前記天板の他方の短辺には長さ（ｄ）および幅（ｈ）の矩形の第２の左側板が長さ（ｄ）の辺を共有して連設され、前記前板の前記底板が連設されている長辺に対向するもう一方の長辺には長辺の長さ（ｗ）および短辺の長さ（ｄ）の矩形の中板が長さ（ｗ）の辺を共有して連設され、前記中板には１つ以上の第１の採尿カップ挿通孔が長辺方向の中心軸線上に等間隔に貫設されていて前記第１の採尿カップ挿通孔の形状は前記採尿カップの中心軸を垂直にしたときの前記頂点から距離（ｈ）をもって離間した位置における前記採尿カップの断面形と略同一形状であり、前記天板には１つ以上の第２の採尿カップ挿通孔が長辺方向の中心軸線上かつ前記第１の採尿カップ挿通孔に対応する位置に貫設されていて前記第２の採尿カップ挿通孔の形状は前記採尿カップの中心軸を垂直にしたときの前記頂点から距離（２ｈ）をもって離間した位置における前記採尿カップの断面形と略同一形状である紙製または合成樹脂製のシートであって、前記底板に連設される前記前板、前記背板、前記第１の右側板および前記第１の左側板をそれぞれ前記底板に対して直角に谷折りして相互に直交する辺縁同士を貼着し、前記中板を前記前板に対して直角に谷折りして前記中板の先端の長辺縁を前記背板に当接させて貼着し、前記天板を前記背板に対して直角に谷折りし前記第２の右側板および前記第２の左側板を前記天板に対して直角に谷折りして相互に直交する辺縁同士を貼着して形成されることを特徴としている。
【発明の効果】
【０００９】
本願請求項１に係る倒立斜円錐形状採尿カップは、倒立斜円錐形状カップであるため以下の効果を有する。
（１）主として女性の被検査者が採尿する場合に開口部の周縁部分のうち頂点との距離が最短となる箇所（以下「周縁最短箇所」という。）を前方（被検査者の腹部側）に向け股間に位置させて使用する。この場合、当然に開口部の周縁部分のうち頂点との距離が最長となる箇所（以下「周縁最長箇所」という。）は後方（被検査者の背側）に向けることになる。そのため、採尿カップである斜円錐形カップの先端（頂点）は股間の陰部よりも斜め前方に位置することになり、従来の紙コップのように被検査者は陰部の下方に紙コップの周壁を把持する手を位置させることなく、それよりも前方に把持する手を位置させることができることになる。したがって、妊娠中の女性であっても開口部を陰部に容易にかつ確実に位置させることができ、排出中の尿が手に付くことはない。
【００１０】
（２）また、主として男性の被検査者が採尿する場合であっても、周縁最長箇所を前方に向けることにより、周縁最短箇所は身体に近接して位置することになり、開口部の向きは陰部に対して直面するかたちとなる。そのため、従来の紙コップよりも容易に開口部に尿を狙い入れることができ、また、勢いよく尿が排出されても前方の周縁最長箇所の下部に位置する倒立斜円錐形の周壁に当たって尿が採尿カップの外にこぼれることがない
【００１１】
（３）そして、従来の紙コップの開口部は円形であるが、本願発明に係る採尿カップの開口部の形状は尿の排出方向に長い楕円形であるため、女性が使用する場合であっても、男性が使用する場合であっても、排出される尿が採取しやすい形状となっている。また、本願発明に係る採尿カップの内壁はすり鉢状となっているので、排出される尿は常に斜めの方向から採尿カップの内壁に当たるため、排出される尿の上方への跳ね返りがない。
【００１２】
（４）さらに、本願発明に係る採尿カップは底が平面ではなく突出した形状であるため、従来の紙コップのように不用意にトイレの床に置いて被検査者自ら蹴飛ばしてトイレの床を汚すこともない。
【００１３】
（５）また、倒立円錐形に傾斜角度もたせ、さらには、開口部縁の平面形状を略楕円形に形成したので、採尿時に使い勝手のよい開口部大きさを有し、かつ、片手で倒立斜円錐形状カップの周壁を把持したときに握り勝手のよい採尿カップが得られる。
【００１４】
本願請求項２に係る倒立斜円錐形状採尿カップは、第１の二等辺三角形と第１の二等辺三角形の底辺を底辺とする第２の二等辺三角形とからなる紙製または合成樹脂製の方形のシートの下端に位置する頂角を中心に第１の二等辺三角形を手前方向に湾曲させ、頂角を挟む２つの斜辺の内面となる辺縁同士を対向させて貼着することにより形成されるため以下の効果を有する。
【００１５】
（１）従来から使用されている紙コップにあっては、円形の底板部分と扇形の周壁部分の２ピースのシートから作られているが、本願発明の採尿器では、直線で囲まれた方形の１ピースから作られることになり、極めて容易に製作できかつ経済的である。
【００１６】
（２）この場合、第２の二等辺三角形の頂角が周縁最長箇所に該当し、第１の二等辺三角形の底辺の両端部、すなわち第２の二等辺三角形の底辺の両端部が突き合わされて貼着された箇所が周縁最短箇所に該当することになる。そして、周縁最長箇所と頂点との距離を３４０ｍｍ〜３６０ｍｍ、周縁最短箇所と頂点との距離を１８０ｍｍ〜２２０ｍｍ、第１の二等辺三角形の底辺の距離すなわち第２の二等辺三角形の底辺の距離を１７０ｍｍ〜１９０ｍｍとすることにより、より好ましい大きさの倒立斜円錐形状カップが得られる。なお、本願発明はこの寸法に限定されるわけではなく、当該倒立斜円錐形状採尿カップの使用者に合わせて適宜変えることができることは勿論である。
【００１７】
（３）また、本願発明は、頂角を挟む２つの斜辺の内面となる辺縁同士を対向させて貼着する、すなわち、頂角を挟む２つの斜辺の内面となる辺縁に沿って所定の幅の糊代部を設けてその糊代部を対向させて貼着するため、貼着部分の水密性も高くなって採尿された尿が漏れ出ることはない。さらに、例えば、尿量を測るためにメスシリンダーなどに移す場合には、貼着部分の最上部が注ぎ口となって採取した尿を外にこぼすことがない。
なお、本願発明では、頂角を挟む２つの斜辺の内面となる辺縁同士を対向させて貼着することとしているが、頂角を挟む２つの斜辺の小口部分を突き合わせ、その突合せ部分にテープを添着させて倒立斜円錐形状採尿カップを形成することもできる。
【００１８】
本願請求項３に係る倒立斜円錐形状採尿カップは、以下の効果を有する。
（１）第２の二等辺三角形の略上半分、すなわち開口部の一部を内部方向に谷折りすることにより蓋体が形成されるため、採尿後に蓋体を谷折りすれば、採取された尿を他の被検査者に見られることがなくなる。また、開口部の周縁の略半分が折り曲げられるため、開口部自体の剛性が高くなり、開口部の形が崩れにくい。
【００１９】
（２）また、従来は採尿後に被検査者の氏名を確認するためには、被検査者の氏名は紙コップの外周壁に記入されているため、採尿カップをある程度の高さに持ち上げなければならなかったが、本願請求項３に係る倒立斜円錐形状採尿カップでは、蓋体の表面となる部分に被検査者の氏名を予め記入しておくことにより、採尿後に被検査者の氏名を採尿カップの上から確認することができ、採尿カップに手を触れることなく被検査者の氏名の確認をおこなうことができる。
【００２０】
（３）そして、第２の二等辺三角形の頂角近傍を斜円錐形カップの外部方向に山折りして蓋体のつまみ部が形成されていて、被検査者が採尿後に蓋をしたときには、前記の蓋体のつまみ部は蓋体から上部に突出することになり、検査者は蓋体には手を触れずに蓋を持ち上げることができる。また、前記の蓋体のつまみ部自体に識別マークを付すことにより、採取した尿の仕分け作業の効率化を図ることができる。
【００２１】
本願請求項４に係る採尿カップスタンドは、１枚のシートから簡単に組み立てることができ、前記請求項２ないし請求項４のいずれかに係る倒立斜円錐形状採尿カップも１枚のシートから簡単に組み立てできることとも相まって、採尿カップスタンドと採尿カップを平面状のシートとして同梱して送ることができ、かつ、嵩張ることもないため、運搬コストを安価に抑えることができる。また、前記請求項２または請求項３に係る倒立斜円錐形状採尿カップと同様に、使用後に廃棄するときは、押圧することにより、簡単につぶせ、嵩張ることがなく、廃棄コストも安価に抑えることができ、経済的である。さらに、前記請求項１ないし請求項３のいずれかに係る倒立斜円錐形状採尿カップを第１の採尿カップ挿通孔および第２の採尿カップ挿通孔の２箇所で保持するため、当該採尿カップスタンドに置かれた採尿カップはぐらつくこともなく確実に支持される。
【発明を実施するための最良の形態】
【００２２】
本発明を実施するための最良の形態に係る実施例について、図１ないし図４に基づいて説明する。ここで、図１は本実施例に係る倒立斜円錐形状採尿カップの正面図であり、図２は本実施例に係る倒立斜円錐形状採尿カップの側面図であり、図２（ａ）は蓋をする前の倒立斜円錐形状採尿カップの側面図、図２（ｂ）は蓋をした後の倒立斜円錐形状採尿カップの側面図であり、図３は本実施例に係る倒立斜円錐形状採尿カップの組立展開図であり、図３（ａ）は外面展開図、図３（ｂ）は内面展開図であり、図４は本実施例に係る倒立斜円錐形状採尿カップの使用説明図であり、図４（ａ）は女性の被検査者が採尿する場合の図、図４（ｂ）は男性の被検査者が採尿する場合の図である。
【００２３】
まず、本実施例に係る倒立斜円錐形状採尿カップの構成について図１および図３に基づいて説明する。
図１ないし図３において、符号１０は倒立斜円錐形状採尿カップ、符号１２は開口部、符号１４は蓋体、符号１６は蓋体つまみ部、符号１８は蓋体折曲線、符号２０は蓋体つまみ部折曲線、符号２２は採尿カップ形成用糊代部、符号３０は第１の二等辺三角形、符号３２は第２の二等辺三角形、符号４０は被検査者情報の記入欄、符号４２は上面目印、符号４２aは女性の被検査者用上面目印、符号４２ｂは男性の被検査者用上面目印、符号４４は尿目盛り、符号４６は排出尿の的、符号４８は尿濁度測定目印、符号Ａは第１の二等辺三角形３０の頂点、符号ＢＣは第１の二等辺三角形３０あるいは第２の二等辺三角形３２の底辺、符号Ｄは第２の二等辺三角形３２の頂点である。
【００２４】
倒立斜円錐形状採尿カップ１０は、次のような方形のシートＡＢＤＣから作成される。すなわち、底辺ＢＣを共有する二等辺三角形ＡＢＣである第１の二等辺三角形３０と二等辺三角形ＤＢＣである第２の二等辺三角形３２とからなる紙製のシートである。本実施例においては、第１の二等辺三角形３０と第２の二等辺三角形３２は合同であり、底辺ＢＣの長さを１８０ｍｍとし、第１の二等辺三角形３０の頂角と第２の二等辺三角形３２の頂角の距離、すなわちＡＤの長さを３５０ｍｍとし、第１の二等辺三角形３０の斜辺ＡＢおよびＡＣの長さを２２０ｍｍとしているが、この寸法に限定されるわけではなく、被検査者の年代、性別あるいは身体の大きさに応じて様々に変えることは勿論、第１の二等辺三角形３０と第２の二等辺三角形３２が合同である必要はないことも勿論である。
【００２５】
倒立斜円錐形状採尿カップ１０を形成したときに外側となる方形のシートＡＢＤＣの外面には、図３（ａ）に示すように、第２の二等辺三角形３２の略上半分の部分に被検査者情報の記入箇所４０が印刷され、この被検査者情報の記入箇所４０の上部には蓋体つまみ部折曲線２０の山折り線が印刷され、被検査者情報の記入箇所４０の下部には蓋体折曲線１８の山折り線が印刷され、さらにその下部には男性の被検査者が使用する場合の倒立斜円錐形状採尿カップ１０の上部を示す上面目印４２ｂが印刷され、辺ＡＢの点Ｂ近傍には辺ＡＢに沿って女性の被検査者が使用する場合の倒立斜円錐形状採尿カップ１０の上部を示す上面目印４２ａが印刷され、さらに、辺ＡＢの近傍には、尿の量を示す尿目盛り４４が印刷されている。
【００２６】
一方、内側となる方形のシートＡＢＤＣの面には、図３（ｂ）に示すように、点Ｄの近傍に蓋体つまみ部折曲線２０の山折り線が印刷され、その下部には蓋体折曲線１８の山折り線が印刷され、方形のシートＡＢＤＣの略中心部には男性の被検査者が狙う排出尿の的４６が印刷され、辺ＡＣの近傍には、尿の量を測る目盛り４４が印刷され、さらに、点Ａの近傍には採取した尿の濁度を測定する尿濁度測定目印４８が印刷されている。
【００２７】
図３（ｂ）に示すように、倒立斜円錐形状採尿カップ１０の内側となる面を手前に向けた場合、点Ａを中心に第１の二等辺三角形３０を手前に湾曲させ、辺ＡＢおよび辺ＡＣの辺縁に沿って幅４ｍｍ〜７ｍｍ程度の採尿カップ形成用糊代部２２同士を対向させて貼着させることにより、図１に示すような倒立斜円錐形状カップである倒立斜円錐形状採尿カップ１０が形成される。そして、頂点Ａを通る倒立斜円錐形状採尿カップ１０の中心軸線に対して直交する断面形状は、採尿カップ形成用糊代部２２の反対側部分が円形で採尿カップ形成用糊代部２２側が鈍角に尖ったしずく状となり、そのしずく状の尖った部分に採尿カップ形成用糊代部２２が突出した形状となっている。このように採尿カップ形成用糊代部２２を貼着させることにより、頂点Ａ部分を含めた貼着部分が面接着となって水密性も高くなり、採尿された尿が外に漏れ出ることはない。
【００２８】
本願発明においては、頂角を挟む２つの斜辺の内面となる辺縁同士を対向させて貼着するとしているが、単に頂角を挟む２つの斜辺の辺縁同士を貼着するとしてもよい。すなわち、この辺ＡＢおよび辺ＡＣの貼着は、辺ＡＢおよび辺ＡＣの小口を突き合わせ、その小口同士を貼着してもよいし、辺ＡＢおよび辺ＡＣを突き合わせ、その突合せ部分に沿って粘着テープを沿わせることによって貼着してもよい。さらには、辺ＡＢあるいは辺ＡＣのいずれかに糊代となる部分を辺ＡＢあるいは辺ＡＣの辺縁に沿って連設し、その糊代となる部分を辺ＡＣあるいは辺ＡＢの辺縁に貼着してもよい。しかし、水密性の観点からは、上述の採尿カップ形成用糊代部２２同士の貼着方法が優れている。
【００２９】
そして、採尿カップ形成用糊代部２２同士を対向させて貼着することにより、倒立斜円錐形状採尿カップ１０の上部には辺ＢＤと辺ＣＤが湾曲されて略楕円形の開口部１２が形成され、点Ｄが周縁最長箇所（図２（ａ）においては、蓋体つまみ部折曲線２０で折り返された折り返し箇所）となり、点Ｂおよび点Ｃが周縁最短箇所となる。また、点Ａが倒立斜円錐形状採尿カップ１０の下端に位置する倒立斜円錐形の頂点となる。
【００３０】
蓋体１４は、図２（ｂ）に示すように、第２の二等辺三角形３２の略上半分に当たる部分を蓋体折曲線１８に沿って、倒立斜円錐形状カップである倒立斜円錐形状採尿カップ１０の内側方向に折り曲げることにより形成される。蓋体折曲線１８が下に凸状となっているため、折り曲げられて形成された蓋体１４は、下に凸状に湾曲した曲面となって、蓋体折曲線１８部分が元に戻ろうとする復元力に抗して折り曲げられた状態を維持する。
そして、蓋体つまみ部１６は、倒立斜円錐形状カップである倒立斜円錐形状採尿カップ１０の外側方向に折り曲げることにより形成されるので、蓋体１４を折り曲げたときには、図２（ｂ）に示すように倒立斜円錐形状採尿カップ１０の上部に突起した状態となる。
【００３１】
つぎに、本実施例に係る倒立斜円錐形状採尿カップの使用方法について図１ないし図４に基づいて説明する。図４において、符号６２は女性の被検査者の排出中の尿、符号６４は男性の被検査者の排出中の尿、符号６６は朝顔式の小便器である。
【００３２】
図示外の腰掛式の便器に腰掛けた女性の被検査者は、上面目印４２ａが上に位置するように倒立斜円錐形状採尿カップ１０を片手で把持する。そして、倒立斜円錐形状採尿カップ１０の上面目印４２ａを前に向け周縁最長箇所である点Ｄを背側に向けて、陰部近傍に位置させる。その後、開口部１２の周縁を股間にあてがった後、少し倒立斜円錐形状採尿カップ１０を離間させ、排尿する。このような手順を踏むことにより、尿６２は確実に倒立斜円錐形状採尿カップ１０内に採尿され、女性の被検査者の身体が尿６２により濡れることはない。
【００３３】
採尿後、蓋体１４を折り曲げて倒立斜円錐形状採尿カップ１０に蓋をするが、蓋体折曲線１８には予め折り曲げ癖が付けられていて、被検査者は蓋体１４となる倒立斜円錐形状採尿カップ１０の上部を倒立斜円錐形状採尿カップ１０の内側方向に押圧する（図２（ａ）に示す矢印）ことにより、簡単に倒立斜円錐形状採尿カップ１０に蓋ができるようになっている。また、蓋体つまみ部１６は予め倒立斜円錐形状採尿カップ１０の外側に折られているので、倒立斜円錐形状採尿カップ１０に蓋をすると、蓋体つまみ部１６は倒立斜円錐形状採尿カップ１０の上部に突起することになる。
そして尿の入った倒立斜円錐形状採尿カップ１０は採尿カップスタンドに設置される。この採尿カップスタンドは、倒立斜円錐形状採尿カップ１０が挿入されるリングが所定の高さに保持されたものであってもよいし、または、後述する組立式の採尿カップスタンドであってもよい。
【００３４】
倒立斜円錐形状採尿カップ１０内の採取された尿は検査者によって検査されるが、蓋体１４の上面には被検査者情報の記入欄４０に記入された被検査者情報があり、検査者の目線よりも低い位置に倒立斜円錐形状採尿カップ１０が置かれていても、誤りなく被検査者を識別することができる。検査者は蓋体つまみ部１６を把持して簡単に蓋体１４を開き、内にある尿の検査に取り掛かることができる。また、必要に応じて他の容器に尿を移すときには、周縁最短箇所である点Ｂあるいは点Ｃが注ぎ口となるため、採取した尿を外にこぼすことがない。そして、検査後不要となった倒立斜円錐形状採尿カップ１０はその側面から押圧することにより、簡単につぶすことができ、廃棄に際して嵩張ることがない。  
【００３５】
男性の被検査者の場合は、上面目印４２ｂが上に位置するように、かつ、上面目印４２ｂ側を前方に向け、開口部１２を陰部に近づけるように僅かに斜めに傾けて倒立斜円錐形状採尿カップ１０を片手で把持する。そして、倒立斜円錐形状採尿カップ１０の内側にある排出尿の的４６を狙って尿６４を排出する。排出された尿６４は、排出尿の的４６が印刷されている内壁に当たって下方向に向きを変えるため、倒立斜円錐形状採尿カップ１０に確実に採取されることになり、排出された尿６４によって被検査者は衣服等を濡らすことなく、また、排出された尿６４に勢いがあっても倒立斜円錐形状採尿カップ１０の外にこぼれることはない。
採尿後については、上述の女性の被検査者の場合と同様であるので、その説明を省略する。
【００３６】
つぎに、本願発明に係る倒立斜円錐形状採尿カップを置く専用の組立式スタンドについて、図５に基づいて説明する。図５は本実施例に係る倒立斜円錐形状採尿カップに使用される採尿カップスタンドの全体図であり、図５（ａ）は採尿カップスタンドの斜視図、図５（ｂ）は採尿カップスタンドの組立展開図である。そして、図５において、符号７０は採尿カップスタンド、符号７２は底板、符号７４は中板、符号７６は天板、符号７８は前板、符号８０は背板、符号８０ａは第１の背板、符号８０ｂは第２の背板、符号８２は右側板、符号８２ａは第１の右側板、符号８２ｂは第２の右側板、符号８４は左側板、符号８４ａは第１の左側板、符号８４ｂは第２の左側板、符号８６は第１の採尿カップ挿通孔、符号８８は第２の採尿カップ挿通孔、符号９０は突起片、符号９２は突起片挿通孔である。
【００３７】
採尿カップスタンド７０は、１片の紙製シートから組み立てられるが、この紙製シートは、ｗ×ｄの矩形の天板７６の長辺を水平に向けて上部に位置させたときに、天板７６の下部には順に、ｗ×２ｈの矩形の背板８０、ｗ×ｄの矩形の底板７２、ｗ×ｈの矩形の前板７８、ｗ×ｄの矩形の中板７４が連設されていて、天板７６の左右にはｄ×ｈの第２の左側板８４ｂおよびｄ×ｈの第２の右側板８２ｂが連設され、底板７２の左右にはｄ×ｈの第１の左側板８４ａおよびｄ×ｈの第１の右側板８２ａが連設されている。なお、実施例においては、ｗを６７５ｍｍとし、ｄを１２０ｍｍとし、ｈを７０ｍｍとしている。
【００３８】
さらに、中板７４の下端の長辺縁には５個の突起片９０が等間隔に突設され、第２の左側板８４ｂの左端および第２の右側板８２ｂの右端、背板８０の左右端、第１の左側板８４ａの左端および第１の右側板８２ａの右端、前板７８の左右端には糊代部が連設されている。また、背板８０は、同一形状の第１の背板８０ａと第２の背板８０ｂから構成されているが、同一形状の第１の背板８０ａと第２の背板８０ｂが連設されている背板８０の中心軸線上には、突起片９０が挿通される突起片挿通孔９２、９２、・・・が突起片９０、９０、・・・に対応する位置に貫設されている。
【００３９】
また、中板７４には長辺方向の中心軸線上に５個の第１の採尿カップ挿通孔８６、８６、・・・が等間隔に貫設されていて、実施例においては１３５ｍｍ間隔となっている、この間隔は、倒立斜円錐形状採尿カップ１０を採尿カップスタンド７０に仮置きしたときに倒立斜円錐形状採尿カップ１０、１０、・・・が相互に接触することのない間隔となっている。そして、第１の採尿カップ挿通孔８６の形状は、倒立斜円錐形状採尿カップ１０を垂直においたときに、頂点Ａから上方に７０ｍｍの位置の倒立斜円錐形状採尿カップ１０の断面形状であり、実施例においては、径の長さが略２５ｍｍの後方が円形で前方が鈍角に尖ったしずく状で、かつそのしずく状の尖った部分に略方形の突出部を有する形状となっているとなっている。この形状は、倒立斜円錐形状採尿カップ１０の製造方法に起因するものであり、方形シートＡＢＤＣの辺ＡＢおよび辺ＡＣの辺縁に沿って幅４ｍｍ〜７ｍｍ程度の採尿カップ形成用糊代部２２同士を対向させて貼着させているためである。そして、天板７６にも第１の採尿カップ挿通孔８６、８６、・・・に対応する位置に、第１の採尿カップ挿通孔８６と相似形でその径が略５５ｍｍの第２の採尿カップ挿通孔８８、８８、・・・が、貫設されている。
【００４０】
採尿カップスタンド７０は、以下のようにして組み立てられる。すなわち、
（１）底板７２に連設される前板７８、背板８０、第１の右側板８２ａおよび第１の左側板８４ａをそれぞれ底板７２に対して直角に谷折りする。
（２）そして、相互に突き合わされる辺縁同士を糊代部を介して貼着する。
（３）さらに、中板７４を前板７８に対して直角に谷折りして中板７４の先端を前記背板８０に当接させ、中板７４の先端に突設された突起片９０、９０、・・・を突起片挿通孔９２、９２、・・・に挿通させる。挿通後の突起片９０は折り曲げて背板８０に貼着させてもよく、貼着することなくそのままでもよい。
（４）そして、天板７６を背板８０に対して直角に谷折りし、第２の右側板８２ｂおよび第２の左側板８４ｂを天板７６に対して直角に谷折りして、相互に突き合わされる辺縁同士を糊代部を介して貼着する。
以上の工程を経て採尿カップスタンド７０の組み立ては完了する。
【００４１】
組み立てられた採尿カップスタンド７０は、長さが６７５ｍｍ、幅が１２０ｍｍ、高さが１４０ｍｍの直方体であり、底板７２、中板７４、前板７８、背板８０の下半分である第１の背板８０ａ、第１の右側板８２ａおよび第１の左側板８４ａから形成される筐体の上に、天板７６、背板の上半分である第２の背板８０ｂ、第２の右側板８２ｂおよび第２の左側板８４ｂから形成される前方および下方が開放された筐体を重ねたように構成されている。
この１枚のシートから組み立てることができる採尿カップスタンド７０は、軽量ではあるが、折り曲げて貼着されるため、強固なものとなる。また、倒立斜円錐形状採尿カップ１０の周縁最短箇所である点Ｂまたは点Ｃまでの下端からの距離は約１８０ｍｍであり、この倒立斜円錐形状採尿カップ１０を下端から７０ｍｍ（第１の採尿カップ挿通孔８６）の位置および１４０ｍｍ（第２の採尿カップ挿通孔８８）の位置で保持するため、採尿後の倒立斜円錐形状採尿カップ１０が倒れるようなことはなく、確実に倒立斜円錐形状採尿カップ１０を支持する。
【図面の簡単な説明】
【００４２】
【図１】図１は、本実施例に係る倒立斜円錐形状採尿カップの正面図である。
【図２】図２は、本実施例に係る倒立斜円錐形状採尿カップの側面図であり、図２（ａ）は蓋をする前の倒立斜円錐形状採尿カップの側面図、図２（ｂ）は蓋をした後の倒立斜円錐形状採尿カップの側面図である。
【図３】図３は本実施例に係る倒立斜円錐形状採尿カップの組立展開図であり、図３（ａ）は外面展開図、図３（ｂ）は内面展開図である。
【図４】図４は、本実施例に係る倒立斜円錐形状採尿カップの使用説明図であり、図４（ａ）は女性の被検査者が採尿する場合の図、図４（ｂ）は男性の被検査者が採尿する場合の図である。
【図５】図５は、本実施例に係る倒立斜円錐形状採尿カップに使用される採尿カップスタンドの全体図であり、図５（ａ）は採尿カップスタンドの斜視図、図５（ｂ）は採尿カップスタンドの組立展開図である。
【図６】図６は、先行技術文献に開示された従来例の採尿カップの全体図である。
【図７】図７は、従来から使用されている紙コップの使用説明図であり、図７（ａ）は女性の被検査者が採尿する場合の図、図６（ｂ）は男性の被検査者が採尿する場合の図である。
【符号の説明】
【００４３】
１０  倒立斜円錐形状採尿カップ
１２  開口部
１４  蓋体
１６  蓋体つまみ部
３０  第１の二等辺三角形
３２  第２の二等辺三角形
６２  女性の被検査者の尿
６４  男性の被検査者の尿
６６  朝顔式の小便器  
７０  採尿カップスタンド
７２  底板
７４  中板
７６  天板
８６  第１の採尿カップ挿通孔
８８  第２の採尿カップ挿通孔
【図１】
2006145308.tif 000003
【図２】
2006145308.tif 000004
【図３】
2006145308.tif 000005
【図４】
2006145308.tif 000006
【図５】
2006145308.tif 000007
【図６】
2006145308.tif 000008
【図７】
2006145308.tif 000009